(57)【要約】      （修正有）【課題】腰ベルトに二つのクリップをかけることで、車両の急停車時に自動ブレーキ機能を有する安全ベルトが腰を固定し、平常時には子供が動ける長さ（例えば、およそ４００ｍｍ）だけ伸縮自在であるので、子供の不便さを減らしながらも安全も守ることができる乳児用安全ベルトシート装置の提供。【解決手段】乳児の腰全周を一回りして取り囲む腰ベルト１００Ａと、前記乳児が着席するシートに固定されたままで前記腰ベルトの一方の側に着脱可能に結合される第１安全ベルト部１１０と、前記乳児が着席するシートに固定されたままで前記腰ベルトの他方の側に着脱可能に結合される第２安全ベルト部１２０とを含む。【選択図】図１ａ
0003221837.tif 000002
【実用新案登録請求の範囲】
【請求項１】
乳児の腰全周を一回りして取り囲む腰ベルトと、
前記乳児が着席するシートに固定されたままで前記腰ベルトの一方の側に着脱可能に結合される第１安全ベルト部と、
前記乳児が着席するシートに固定されたままで前記腰ベルトの他方の側に着脱可能に結合される第２安全ベルト部とを含み、
前記第１安全ベルト部は、シートの一方の側に結合された第１リトラクターと、前記第１リトラクターから引き出される第１ベルトと、前記第１ベルトに結合され、前記腰ベルトの一方の側に着脱可能に結合される第１クリップとを含み、
前記第２安全ベルト部は、シートの他方の側に結合された第２リトラクターと、前記第２リトラクターから引き出される第２ベルトと、前記第２ベルトに結合され、前記腰ベルトの他方の側に着脱可能に結合される第２クリップとを含み、
前記第１クリップは、前記第１ベルトに結合される第１結合ホールと、前記腰ベルトの一方の側に着脱可能に結合され、下部が開放した第１係合片とを含み、
前記第２クリップは、前記第２ベルトに結合される第２結合ホールと、前記腰ベルトの他方の側に着脱可能に結合され、下部が開放した第２係合片とを含む、乳児用安全ベルトシート装置。
【請求項２】
乳児の胴全周を一回りして取り囲むチョッキと、
前記チョッキの後方上部の左右の側に結合された一対の第１係合孔片と、
前記チョッキの後方下部の左右の側に結合された一対の第２係合孔片と、
前記乳児が着席するシートの背もたれに固定されたままで前記第１係合孔片に着脱可能に結合される一対の第１安全ベルト部と、
前記乳児が着席するシートの背もたれに固定されたままで前記第２係合孔片に着脱可能に結合される一対の第２安全ベルト部とを含み、
前記一対の第１安全ベルト部のそれぞれは、シートの背もたれの上部の左右の側にそれぞれ結合された第１リトラクターと、前記第１リトラクターから引き出される第１ベルトと、前記第１ベルトに結合され、前記第１係合孔片に着脱可能に結合される第１クリップとを含み、
前記一対の第２安全ベルト部のそれぞれは、シートの背もたれの下部の左右の側にそれぞれ結合された第２リトラクターと、前記第２リトラクターから引き出される第２ベルトと、前記第２ベルトに結合され、前記第２係合孔片に着脱可能に結合される第２クリップとを含み、
前記第１クリップは、前記第１ベルトに結合される第１結合ホールと、前記第１係合孔片に着脱可能に結合され、下部が開放した第１係合片とを含み、
前記第２クリップは、前記第２ベルトに結合される第２結合ホールと、前記第２係合孔片に着脱可能に結合され、下部が開放した第２係合片とを含む、乳児用安全ベルトシート装置。
【考案の詳細な説明】
【技術分野】
【０００１】
本考案の多様な実施例は乳児用安全ベルトシート装置に関する。
【背景技術】
【０００２】
一般に、車両の安全ベルトは、車両が走行中に衝突、加速又は急停止する場合に発生する衝撃によって搭乗者が前方に放り出されることを防止して搭乗者の安全を確保するための装置である。
【０００３】
このような安全ベルトは、衝突、加速又は急停止時に発生する衝撃から大人などの身体構造の大きな搭乗者を保護するために、車両座席のシートバックに備えられているが、子供のように身体構造の小さな搭乗者を保護するための安全ベルト装置は備えられていない。
【０００４】
したがって、従来は、子供のように身体構造の小さな搭乗者の場合、別途の安全ベルトが取り付けられた補助椅子を使っていたが、これは補助椅子を車両の座席に従来の大人用安全ベルトで着用させる複雑な構造であるから、着用が煩わしいだけでなく、子供のように身体構造の小さな搭乗者が搭乗する度に別に携帯しなければならない問題点がある。
【０００５】
このような問題点を解決するために、左右の側にバックルがかかるように重なるベルト部材によって腰バックル係合片が形成されて腰側に締結される腰ベルト部と、前記左右腰バックル係合をなしてから引き出される引出側ベルト部材が第１折畳部によって垂直上方に引き出され、第２折畳部によって背板支持部をなしてから更に引き出されて人体の肩部にかかるように形成される一対の肩ベルト部と、前記左右側肩ベルト部の引出側ベルト部材が第３折畳部によって結合されてバックルがかかるように形成される左右胸部バックル係合片と、前記左右側胸部バックル係合片から引き出されるベルト部材が前記腰バックル係合片の内側に挿入されて下方に延び、その下端部にバックル及び長さ調節片に結合される脚ベルト部とを含んでなる車両の子供用補助安全ベルト（韓国登録実用新案第２０−０２６９４２３号）が提案されたことがある。
【０００６】
しかし、前記車両の子供用補助安全ベルトは、補助安全ベルトが、腰ベルト部、肩ベルト部、胸部バックル係合片及び脚ベルト部からなるから、構造が複雑である。
【０００７】
よって、前記車両の座席に着席した状態の着用者が前記補助安全ベルトを着用するためには、まず、前記肩ベルト部及び胸部バックル係合片を上体に着用した後、前記脚ベルト部を両脚に着用しなければならないため、着用過程も複雑となるな問題点がある。
【０００８】
特に、子供のように身体構造の小さな着用者が前記補助安全ベルトを着用した状態で車両に搭乗した後、車両に取り付けられた安全ベルトを引っ張ることで、前記補助安全ベルトの腰ベルト部と第２折畳部の間に相当する部分が係止固定されるように着用者の背部に挿入した後、安全ベルトの突出部をバックル内に挿入固定しなければならないから、着用者の上体が前記車両用座席のシートバックに不完全に固定されるため、急制動、衝突及び追突事故などの交通事故が発生する場合、子供のように身体構造の小さな着用者を安全に保護することができない問題点がある。
【０００９】
このような考案の背景となる技術に開示された上述した情報は本考案の背景に対する理解を向上させるためだけのものであり、よって従来技術を構成しない情報を含むこともできる。
【先行技術文献】
【特許文献】
【００１０】
【特許文献１】韓国登録実用新案第２０−０２６９４２３号公報
【考案の概要】
【考案が解決しようとする課題】
【００１１】
本考案の多様な実施例が解決しようとする課題は、乳児が別途の腰ベルトを着用し、腰ベルトに二つのクリップをかけることで、車両の急停車時に自動ブレーキ機能を有する安全ベルトが腰を固定し、平常時には子供が動ける長さ（例えば、およそ４００ｍｍ）だけ伸縮自在であるので、子供の不便さを減らしながらも安全も守ることができる乳児用安全ベルトシート装置を提供することにある。
【００１２】
また、本考案の多様な実施例によって解決しようとする課題は、乳児が別途のチョッキを着用し、チョッキに４つのクリップをかけることで、車両の急停車時に自動ブレーキ機能を有する安全ベルトが肩と腰を固定し、平常時には子供が動ける長さ（例えば、およそ４００ｍｍ）だけ伸縮自在であるので、子供の不便さを減らしながらも安全も守ることができる乳児用安全ベルトシート装置を提供することにある。
【課題を解決するための手段】
【００１３】
本考案の多様な実施例による乳児用安全ベルトシート装置は、乳児の腰全周を一回りして取り囲む腰ベルトと、前記乳児が着席するシートに固定されたままで前記腰ベルトの一方の側に着脱可能に結合される第１安全ベルト部と、前記乳児が着席するシートに固定されたままで前記腰ベルトの他方の側に着脱可能に結合される第２安全ベルト部とを含む。
【００１４】
前記第１安全ベルト部は、シートの一方の側に結合された第１リトラクターと、前記第１リトラクターから引き出される第１ベルトと、前記第１ベルトに結合され、前記腰ベルトの一方の側に着脱可能に結合される第１クリップとを含み、前記第２安全ベルト部は、シートの他方の側に結合された第２リトラクターと、前記第２リトラクターから引き出される第２ベルトと、前記第２ベルトに結合され、前記腰ベルトの他方の側に着脱可能に結合される第２クリップとを含み、前記第１クリップは、前記第１ベルトに結合される第１結合ホールと、前記腰ベルトの一方の側に着脱可能に結合され、下部が開放した第１係合片とを含み、前記第２クリップは、前記第２ベルトに結合される第２結合ホールと、前記腰ベルトの他方の側に着脱可能に結合され、下部が開放した第２係合片とを含む。
【００１５】
本考案の多様な実施例による乳児用安全ベルトシート装置は、乳児の胴全周を一回りして取り囲むチョッキと、前記チョッキの後方上部の左右の側に結合された一対の第１係合孔片と、前記チョッキの後方下部の左右の側に結合された一対の第２係合孔片と、前記乳児が着席するシートの背もたれに固定されたままで前記第１係合孔片に着脱可能に結合される一対の第１安全ベルト部と、前記乳児が着席するシートの背もたれに固定されたままで前記第２係合孔片に着脱可能に結合される一対の第２安全ベルト部とを含む。
【００１６】
前記一対の第１安全ベルト部のそれぞれは、シートの背もたれの上部の左右の側にそれぞれ結合された第１リトラクターと、前記第１リトラクターから引き出される第１ベルトと、前記第１ベルトに結合され、前記第１係合孔片に着脱可能に結合される第１クリップとを含み、前記一対の第２安全ベルト部のそれぞれは、シートの背もたれの下部の左右の側にそれぞれ結合された第２リトラクターと、前記第２リトラクターから引き出される第２ベルトと、前記第２ベルトに結合され、前記第２係合孔片に着脱可能に結合される第２クリップとを含み、前記第１クリップは、前記第１ベルトに結合される第１結合ホールと、前記第１係合孔片に着脱可能に結合され、下部が開放した第１係合片とを含み、前記第２クリップは、前記第２ベルトに結合される第２結合ホールと、前記第２係合孔片に着脱可能に結合され、下部が開放した第２係合片とを含む。
【考案の効果】
【００１７】
本考案の多様な実施例は、乳児が別途の腰ベルトを着用し、腰ベルトに二つのクリップをかけることで、車両の急停車時に自動ブレーキ機能を有する安全ベルトが腰を固定し、平常時には子供が動ける長さ（例えば、およそ４００ｍｍ）だけ伸縮自在であるので、子供の不便さを減らしながらも安全も守ることができる乳児用安全ベルトシート装置を提供する。
【００１８】
また、本考案の多様な実施例は、乳児が別途のチョッキを着用し、チョッキに四つのクリップをかけることで、車両の急停車時に自動ブレーキ機能を有する安全ベルトが肩と腰を固定し、平常時には子供が動ける長さ（例えば、およそ４００ｍｍ）だけ伸縮自在であるので、子供の不便さを減らしながらも安全も守ることができる乳児用安全ベルトシート装置を提供する。
【図面の簡単な説明】
【００１９】
【図１ａ】本考案の多様な実施例による乳児用安全ベルトシート装置を示す概略図である。
【図１ｂ】本考案の多様な実施例による乳児用安全ベルトシート装置を示す概略図である。
【図１ｃ】本考案の多様な実施例による乳児用安全ベルトシート装置を示す概略図である。
【図２】本考案の多様な実施例による乳児用安全ベルトシート装置の着用例を示す概略図である。
【図３ａ】本考案の多様な実施例による乳児用安全ベルトシート装置の乳児用チョッキ及びシートを示す概略図である。
【図３ｂ】本考案の多様な実施例による乳児用安全ベルトシート装置の乳児用チョッキ及びシートを示す概略図である。
【図４】本考案の多様な実施例による乳児用安全ベルトシート装置のシートを示す概略図である。
【考案を実施するための形態】
【００２０】
以下、添付図面に基づいて本考案の好適な実施例を詳細に説明する。
【００２１】
本考案の実施例は当該技術分野で通常の知識を有する者に本考案をもっと完全に説明するために提供するものであり、下記の実施例は他の様々な形態に変形されることができ、本考案の範囲が下記の実施例に限定されるものではない。むしろ、下記の実施例は本考案の開示をもっと充実で完全にし、当業者に本考案の思想を完全に伝達するために提供するものである。
【００２２】
また、以下の図面で各層の厚さ又は大きさは説明の便宜及び明確性のために誇張しているものもあり、図面上で同じ符号は同じ要素を示す。本明細書で使用したような、“及び／又は”という用語は列挙された該当項目のいずれか一つ又はそれ以上の全ての組合せを含む。また、本明細書で、「連結される」という意味はＡ部材とＢ部材が直接連結される場合だけではなく、Ａ部材とＢ部材の間にＣ部材を介してＡ部材とＢ部材が間接的に連結される場合も意味する。
【００２３】
本明細書で使用した用語は特定の実施例を説明するためのもので、本考案を制限するためのものではない。本明細書で使用したように、単数型は文脈上で他の場合を確かに指示するものではなければ、複数型を含むことができる。また、本明細書で使う「含む（ｃｏｍｐｒｉｓｅ、ｉｎｃｌｕｄｅ）」及び／又は「含んでいる（ｃｏｍｐｒｉｓｉｎｇ、ｉｎｃｌｕｄｉｎｇ）」という用語は言及した形状、数字、段階、動作、部材、要素及び／又はこれらのグループの存在を特定するものであり、一つ以上の他の形状、数字、動作、部材、要素及び／又はグループの存在又は付加の可能性を排除するものではない。
【００２４】
本明細書で、第１、第２などの用語を多様な部材、部品、領域、層及び／又は部分を説明するために使うが、これらの部材、部品、領域、層及び／又は部分はこれら用語によって限定されてはならないのはいうまでもない。これらの用語は一つの部材、部品、領域、層又は部分を他の部材、部品、領域、層又は部分と区別するために使うものである。よって、以下で述べる第１部材、部品、領域、層又は部分は本考案の教示から逸脱しない範疇内で第２部材、部品、領域、層又は部分を示すことができる。
【００２５】
「の真下（ｂｅｎｅａｔｈ）」、「の下（ｂｅｌｏｗ）」、「下側（ｌｏｗｅｒ）」、「の上（ａｂｏｖｅ）」、「上側（ｕｐｐｅｒ）」のような空間に関連した用語を、図面に示した一つの要素又は特徴と他の要素又は特徴の容易な理解のために用いることができる。このような空間に関連した用語は本考案の多様な工程状態又は使用状態によって本考案を容易に理解するためのものであり、本考案を限定するためのものではない。例えば、図面の要素又は特徴が裏返されれば、「の下」又は「下側」と説明した要素又は特徴は「の上」又は「上側」になる。よって、「下」は「上」及び「下」を包括する概念である。
【００２６】
図１ａ〜図１ｃは本考案の多様な実施例による乳児用安全ベルトシート装置１００を示す概略図である。
【００２７】
図１ａ〜図１ｃに示したように、本考案の多様な実施例による乳児用安全ベルトシート装置１００は、腰ベルト１００Ａと、第１安全ベルト部１１０と、第２安全ベルト部１２０とを含むことができる。
【００２８】
腰ベルト１００Ａは乳児の腰全周を一回りして取り囲むことができる。以下に限定されるものではないが、例えば腰ベルト１００Ａは乳児のズボンに結合されることによってズボンが下がらないようにするものであってもよい。また、腰ベルト１００Ａは、乳児に易しく装着するか分離することができるように、両端に結合及び分離の可能なバックル構造１００Ｂを含むことができる。もちろん、腰ベルト１００Ａはバックル構造のない閉曲線の形態であってもよい。この場合、腰ベルト１００Ａは乳児の頭部から胸部を経て腰部に結合されるか又は足から膝部を経て腰部に結合されることができる。
【００２９】
腰ベルト１００Ａは、以下に限定されるものではないが、例えば天然皮、人造皮、天然纎維、人造纎維などから形成されることができる。ただし、車両の急停車、追突又は衝突の際に外力によって伸びない素材が好ましい。
【００３０】
一方、このような腰ベルト１００Ａは着用時に乳児の腹部よりはその下側の骨盤に位置するようにすることにより、車両の急停車、衝突又は衝撃の際に臓器が損傷されないようにすることが好ましい。
【００３１】
第１安全ベルト部１１０は乳児が着席するシート（例えば、座席Ｓ又は背もたれＢ）に固定されたままで腰ベルト１００Ａの一方の側（例えば、左側）に着脱可能に結合されることができる。
【００３２】
第１安全ベルト部１１０は、以下に限定されるものではないが、例えば第１リトラクター１１１と、第１ベルト１１２と、第１クリップ１１３とを含むことができる。
【００３３】
第１リトラクター１１１は、以下に限定されるものではないが、例えばシート（例えば、座席Ｓ又は背もたれＢ）の一方の側（例えば、左側）に直接固定されることができ、第１ベルト１１２は第１リトラクター１１１から一定の長さだけ引き出されるか巻き戻され、第１クリップ１１３は第１ベルト１１２の端部に結合されて腰ベルト１００Ａの一方の側（例えば、左側）に着脱可能に結合されることができる。
【００３４】
ここで、第１リトラクター１１１は相対的に低速では第１ベルト１１２がおよそ４００ｍｍの長さまで引き出されるようにするが、相対的に高速（例えば、車両の急停車、追突又は衝突の際）では第１ベルト１１２が引き出されずに固定されるようにし、さらに第１ベルト１１２が腰ベルト１００Ａから分離されたとき、巻き戻されるようにする。このような第１リトラクター１１１の構造は既に周知の内容であるので、その詳細な説明は省略する。
【００３５】
第１ベルト１１２は、上述したように、第１リトラクター１１１から一定の長さだけ引き出されるか又は元の位置に巻き戻されることができる。第１ベルト１１２はおよそ５０ｃｍ〜２００ｃｍの長さを有することができる。また、第１ベルト１１２は、以下に限定されるものではないが、例えば天然皮、人造皮、天然纎維、人造纎維などから形成されることができる。
【００３６】
第１クリップ１１３は、第１ベルト１１２に結合される第１結合ホール１１３ａと、腰ベルト１００Ａの一方の側（例えば、左側）に結合されるか分離され、下部が開放した第１係合片１１３ｂとを含むことができる。したがって、第１クリップ１１３は第１係合片１１３ｂを介して腰ベルト１００Ａの上方から下方に結合され、第１係合片１１３ｂを介して腰ベルト１００Ａの下方から上方に分離されることができる。これにより、第１クリップ１１３と腰ベルト１００Ａ間の結合及び分離が容易である。また、このような第１クリップ１１３は、以下に限定されるものではないが、例えばステンレススチール、アルミニウム、アルミニウム合金、マグネシウム、マグネシウム合金などから形成されることができる。
【００３７】
第２安全ベルト部１２０は、乳児が着席するシート（例えば、座席Ｓ又は背もたれＢ）に固定されたままで腰ベルト１００Ａの他方の側（例えば、右側）に着脱可能に結合されることができる。
【００３８】
第２安全ベルト部１２０は、以下に限定されるものではないが、例えば第２リトラクター１２１と、第２ベルト１２２と、第２クリップ１２３とを含むことができる。
【００３９】
第２リトラクター１２１は、以下に限定されるものではないが、例えばシート（例えば、座席Ｓ又は背もたれＢ）の他方の側（例えば、右側）に直接固定されることができ、第２ベルト１２２は第２リトラクター１２１から一定の長さだけ引き出されるか巻き戻され、第２クリップ１２３は第２ベルト１２２の端部に結合されて腰ベルト１００Ａの他方の側（例えば、右側）に着脱可能に結合されることができる。
【００４０】
ここで、第２リトラクター１２１は、相対的に低速では第２ベルト１２２がおよそ４００ｍｍの長さまで引き出されるようにするが、相対的に高速（例えば、車両の急停車、追突又は衝突の際）では第２ベルト１２２は引き出されずに固定されるようにし、さらに第２ベルト１２２が腰ベルト１００Ａから分離される場合、巻き戻されるようにする。このような第２リトラクター１２１の構造は既に周囲の内容であるので、その詳細説明は省略する。
【００４１】
第２ベルト１２２は、上述したように、第２リトラクター１２１から一定の長さだけ引き出されるか又は元の位置に巻き戻されることができる。第２ベルト１２２はおよそ５０ｃｍ〜２００ｃｍの長さを有することができる。また、第２ベルト１２２は、以下に限定されるものではないが、例えば天然皮、人造皮、天然纎維、人造纎維などから形成されることができる。
【００４２】
また、第２クリップ１２３は、第２ベルト１２２に結合される第２結合ホール１２３ａと、腰ベルト１００Ａの一方の側（例えば、右側）に結合されるか分離され、下部が開放した第２係合片１２３ｂとを含むことができる。したがって、第２クリップ１２３は第２係合片１２３ｂを介して腰ベルト１００Ａの上方から下方に結合され、第２係合片１２３ｂを介して腰ベルト１００Ａの下方から上方に分離されることができる。これにより、第２クリップ１２３と腰ベルト１００Ａ間の結合及び分離が容易である。また、このような第２クリップ１２３は、以下に限定されるものではないが、例えばステンレススチール、アルミニウム、アルミニウム合金、マグネシウム、マグネシウム合金などから形成されることができる。
【００４３】
一方、第１及び第２クリップ１１３、１２３の第１及び第２係合片１１３ｂ、１２３ｂは腰ベルト１００Ａの上方から下方に直接結合される構造も可能であるが、図１ｃに示したように、腰ベルト１００Ａは別途の第１及び第２係合孔片１００Ｃをさらに含むことができ、このような第１及び第２係合孔片１００Ｃに第１及び第２クリップ１１３、１２３が結合されるか分離されることもできる。
【００４４】
すなわち、腰ベルト１００Ａは両側にそれぞれ取り付けられた第１及び第２係合孔片１００Ｃを含むことができる。これはそれぞれ腰ベルト１００Ａに固定され、第１及び第２クリップ１１３、１２３の第１及び第２係合片１１３ｂ、１２３ｂがそれぞれ結合される第１及び第２係合孔１００Ｄを含むことができる。
【００４５】
第１及び第２係合片１１３ｂ、１２３ｂは上方から下方に第１及び第２係合孔片１００Ｃの第１及び第２係合孔１００Ｄに結合されれば、自重によって結合状態が解除されない。しかし、第１及び第２係合片１１３ｂ、１２３ｂを第１及び第２係合孔１００Ｄから下方から上方に押し上げれば、第１及び第２係合片１１３ｂ、１２３ｂが第１及び第２係合孔１００Ｄから易しく分離される。
【００４６】
このように、本考案の多様な実施例は、乳児が腰全周を取り囲む別途の腰ベルト１００Ａを着用し、腰ベルト１００Ａに二つの第１及び第２安全ベルト部１１０、１２０を結合することにより、車両の急停車、追突、衝突の際に自動ブレーキ機能を有する第１及び第２安全ベルト部１１０、１２０が腰を固定するが、平常時には子供が動ける長さ（例えば、およそ４００ｍｍ）だけ伸縮自在であるので、子供の不便さを減らしながらも安全も守ることができる乳児用安全ベルトシート装置１００を提供する。
【００４７】
図２は本考案の多様な実施例による乳児用安全ベルトシート装置１００の着用例を示す概略図である。ここで、図１ａ〜図１ｃをあわせて参照する。
【００４８】
図２に示したように、乳児はシートの座席Ｓに着席し、乳児の腰には腰ベルト１００Ａが着用される。ここで、腰ベルト１００Ａは乳児の腰全周を一回りして取り囲み、一例としてバックル構造１００Ｂを含むことができる。また、シート座席Ｓ又は背もたれＢに第１及び第２安全ベルト部１１０、１２０が結合され、このような第１及び第２安全ベルト部１１０、１２０から第１及び第２ベルト１１２、１２２が引き出され、結局第１及び第２クリップ１１３、１２３が腰ベルト１００Ａの左右の側にそれぞれ結合される。
【００４９】
したがって、車両の急停車、追突又は衝突の際、自動ブレーキ機能を有する第１及び第２安全ベルト部１１０、１２０が腰を固定し、平常時には子供が動ける長さだけ第１及び第２安全ベルト部１１０、１２０が伸縮自在になる。
【００５０】
図３ａ及び図３ｂは本考案の多様な実施例による乳児用安全ベルトシート装置２００の乳児用チョッキ２００Ａ及びシートＳ、Ｂを示す概略図である。
【００５１】
図３ａ及び図３ｂに示したように、本考案の多様な実施例による乳児用安全ベルトシート装置２００は、乳児用チョッキ２００Ａと、一対の第１係合孔片２００Ｂと、一対の第２係合孔片２００Ｃと、一対の第１安全ベルト部２１０と、一対の第２安全ベルト部２２０とを含むことができる。
【００５２】
チョッキ２００Ａは乳児の胴体全周を一回りして取り囲む服であってもよい。チョッキ２００Ａは、以下に限定されるものではないが、例えば上着上にかけて着る袖なしの服であってもよい。このようなチョッキ２００Ａは、以下に限定されるものではないが、例えば防弾チョッキ、ライフジャケット、浮力チョッキの形態であってもよい。一例として、チョッキ２００Ａは前方に形成された多数のロックボタンを含むことができる。チョッキ２００Ａは、以下に限定されるものではないが、例えば天然皮、人造皮、天然纎維、人造纎維などから形成されることができ、一般の衣類に比べて剛性が高いので、第１係合孔片２００Ｂ及び第２係合孔片２００Ｃが強く結合されて分離されないようにする。
【００５３】
一対の第１係合孔片２００Ｂはチョッキ２００Ａの後方上部（例えば、胸部の後側）の左右の側にそれぞれ結合されることができる。このような第１係合孔片２００Ｂは、以下に限定されるものではないが、例えば上述した係合孔１００Ｄを有する係合孔片１００Ｃであってもよい。
【００５４】
一対の第２係合孔片２００Ｃはチョッキ２００Ａの後方下部（例えば、腹部の後側）の左右の側にそれぞれ結合されることができる。このような第２係合孔片２００Ｃは、以下に限定されるものではないが、例えば上述した係合孔１００Ｄを有する係合孔片１００Ｃであってもよい。
【００５５】
一対の第１安全ベルト部２１０は乳児が着席するシートの背もたれＢに固定されたままで第１係合孔片２００Ｂに着脱可能に結合されることができる。ここで、一対の第１安全ベルト部２１０は、前記第１係合孔片２００Ｂと対応する位置である背もたれＢのおよそ縁部に固定されることができる。
【００５６】
一対の第２安全ベルト部２２０は乳児が着席するシートの背もたれＢに固定されたままで第２係合孔片２００Ｃに着脱可能に結合されることができる。ここで、一対の第２安全ベルト部２２０は、前記第２係合孔片２００Ｃと対応する位置である背もたれＢのおよそ縁部に固定されることができる。
【００５７】
一方、一対の第１安全ベルト部２１０のそれぞれは、シートの背もたれＢの上部の左右の側にそれぞれ結合された第１リトラクター１１１と、第１リトラクター１１１から引き出される第１ベルト１１２と、第１ベルト１１２に結合されて第１係合孔片２００Ｂに着脱可能に結合される第１クリップ１１３とを含むことができる。実質的に、このような第１安全ベルト部２１０は上述した第１安全ベルト部１１０と同一の構造を有することができる。
【００５８】
ここで、第１クリップ１１３は、第１ベルト１１２に結合される第１結合ホール１１３ａと、第１係合孔片２００Ｂに結合されるか分離され、下部が開放した第１係合片１１３ｂとを含むことができる。
【００５９】
また、一対の第２安全ベルト部２２０のそれぞれは、シートの背もたれＢの下部の左右側にそれぞれ結合された第２リトラクター１２１と、第２リトラクター１２１から引き出される第２ベルト１２２と、第２ベルト１２２に結合され、第２係合孔片２００Ｃに着脱可能に結合される第２クリップ１２３とを含むことができる。実質的に、このような第２安全ベルト部２２０は上述した第２安全ベルト部１２０と同一の構造を有することができる。
【００６０】
ここで、第２クリップ１２３は、第２ベルト１２２に結合される第２結合ホール１２３ａと、第２係合孔片２００Ｃに結合されるか分離され、下部が開放した第２係合片１２３ｂとを含むことができる。
【００６１】
このように、本考案の多様な実施例は、乳児が別途のチョッキ２００Ａを着用し、チョッキ２００Ａに四つの安全ベルト部２１０、２２０を結合することで、車両の急停車の際に自動ブレーキ機能を有する安全ベルト部２１０、２２０が肩及び腰を固定し、平常時には子供が動ける長さ（例えば、およそ４００ｍｍ）だけ伸縮自在になるので、子供の不便さを減らしながらも安全も守ることができる乳児用安全ベルトシート装置２００を提供する。
【００６２】
図４は本考案の多様な実施例による乳児用安全ベルトシート装置３００のシートを示す概略図である。
【００６３】
図４に示したように、本考案の多様な実施例による乳児用安全ベルトシート装置３００は、一対の第１安全ベルト部３１０がシートの背もたれＢの上部のおよそ中央の左右の側にそれぞれ結合されることができ、一対の第２安全ベルト部３２０はシートの背もたれＢの下部のおよそ中央の左右の側にそれぞれ結合されることができる。ここで、第１安全ベルト部３１０は上述した第１安全ベルト部１１０と同一の構造を有し、第２安全ベルト部３２０は上述した第２安全ベルト部１２０と同一の構造を有することができる。
【００６４】
このように、本考案の多様な実施例による乳児用安全ベルトシート装置３００は、体格がよほど小さな乳児に対しても効率的にチョッキ２００Ａに結合固定されるので、乳児の安全性を向上させることができる。
【００６５】
以上で説明したものは本考案による乳児用安全ベルトシート装置を具現するための一実施例に過ぎないものであり、本考案は前述した実施例に限定されず、以下の実用新案登録請求範囲で請求するような本考案の要旨を逸脱しない範疇内で本考案が属する分野で通常の知識を有する者であれば誰でも多様な変更実施が可能な範囲まで本考案の技術的精神が及ぶと言える。
【符号の説明】
【００６６】
１００    乳児用安全ベルトシート装置
１００Ａ    腰ベルト
１００Ｂ    バックル構造
１００Ｃ    係合孔片
１００Ｄ    係合孔
１１０    第１安全ベルト部
１１１    第１リトラクター
１１２    第１ベルト
１１３    第１クリップ
１１３ａ    第１結合ホール
１１３ｂ    第１係合片
１２０    第２安全ベルト部
１２１    第２リトラクター
１２２    第２ベルト
１２３    第２クリップ
１２３ａ    第２結合ホール
１２３ｂ    第２係合片
２００    乳児用安全ベルトシート装置
２００Ａ    チョッキ
２００Ｂ    第１係合孔片
２００Ｃ    第２係合孔片
２１０    一対の第１安全ベルト部
２２０    一対の第２安全ベルト部
３００    乳児用安全ベルトシート装置
３１０    一対の第１安全ベルト部
３２０    一対の第２安全ベルト部
Ｓ    座席
Ｂ    背もたれ
【図１ａ】
0003221837.tif 000003
【図１ｂ】
0003221837.tif 000004
【図１ｃ】
0003221837.tif 000005
【図２】
0003221837.tif 000006
【図３ａ】
0003221837.tif 000007
【図３ｂ】
0003221837.tif 000008
【図４】
0003221837.tif 000009